【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
画像を視認者の眼に投影させるための接眼レンズであって、前記接眼レンズは、
ある表面を有し、光をその中で伝搬させるように構成されている、導波管と、
前記導波管に光学的に結合された回折光学要素であって、前記回折光学要素は、
前記導波管の表面から突出し、ある周期を有する周期的アレイとして配列されている、複数の第１の隆起であって、前記複数の第１の隆起のそれぞれは、前記導波管の表面に対して垂直方向における第１の高さと、前記周期のある方向における第１の幅とを有する、複数の第１の隆起と、
複数の第２の隆起であって、前記複数の第２の隆起のそれぞれは、個別の第１の隆起から突出し、前記第１の高さを上回る第２の高さと、前記第１の幅未満の第２の幅とを有する、複数の第２の隆起と
を含み、
前記回折光学要素は、前記導波管内で伝搬する前記光の第１の部分を前記眼に向かって一次反射として回折し、前記導波管内で伝搬する前記光の第２の部分を前記眼から離れるように一次透過として回折するように構成されている、回折光学要素と
を備える、接眼レンズ。
【請求項２】
前記第１の幅は、前記周期の０．４倍〜前記周期の０．６倍に及ぶ、請求項１に記載の接眼レンズ。
【請求項３】
前記第２の幅は、前記周期の０．２５倍未満である、請求項１に記載の接眼レンズ。
【請求項４】
前記第２の高さと前記第１の高さの比率は、８：７〜８：３に及ぶ、請求項１に記載の接眼レンズ。
【請求項５】
前記第１の幅および前記第２の幅は、前記回折光学要素が一次透過効率を上回る一次反射効率を有するように選択される、請求項１に記載の接眼レンズ。
【請求項６】
前記一次反射効率と前記一次透過効率の比率は、２を上回る、請求項５に記載の接眼レンズ。
【請求項７】
前記回折光学要素は、前記導波管内で伝搬する前記光の第３の部分を入射方向と実質的に反対方向に二次反射として回折するように構成され、前記第１の幅および前記第２の幅は、前記回折光学要素が１パーセント未満の二次反射効率を有するように選択される、請求項１に記載の接眼レンズ。
【請求項８】
画像を視認者の眼に投影させるための接眼レンズであって、前記接眼レンズは、
ある表面を有し、光をその中で伝搬させるように構成されている、導波管と、
前記導波管に光学的に結合された回折光学要素であって、前記回折光学要素は、
前記導波管の表面から突出し、ある周期を有する周期的アレイとして配列されている、複数の第１の隆起であって、各個別の第１の隆起は、前記周期のある方向における前記個別の第１の隆起の位置の関数として変動する、前記周期の前記方向における個別の第１の幅を有する、複数の第１の隆起と、
複数の第２の隆起であって、各個別の第２の隆起は、対応する第１の隆起から突出し、前記対応する第１の隆起の対応する第１の幅未満の個別の第２の幅を有し、各個別の第２の幅は、前記周期の前記方向における前記対応する第１の隆起の位置の関数として変動する、複数の第２の隆起と
を含み、
前記回折光学要素は、前記導波管内で伝搬する前記光の第１の部分を前記眼に向かって一次反射として回折し、前記導波管内で伝搬する前記光の第２の部分を前記眼から離れるように一次透過として回折するように構成されている、回折光学要素と
を備える、接眼レンズ。
【請求項９】
各第１の隆起は、第１の高さを有し、各第２の隆起は、前記第１の高さを上回る第２の高さを有する、請求項８に記載の接眼レンズ。
【請求項１０】
前記第１の高さは、４５ｎｍ〜６５ｎｍに及び、前記第２の高さは、７０ｎｍ〜８０ｎｍに及ぶ、請求項９に記載の接眼レンズ。
【請求項１１】
前記個別の第１の隆起の各個別の第１の幅および前記個別の第２の隆起の各個別の第２の幅は、前記回折光学要素の一次反射効率が前記周期の前記方向における前記導波管の表面を横断した位置の関数として変動するように変動される、請求項８に記載の接眼レンズ。
【請求項１２】
前記回折光学要素の一次反射効率は、前記回折光学要素の第１の縁から前記回折光学要素の第２の縁へと増加する、請求項１１に記載の接眼レンズ。
【請求項１３】
前記回折光学要素の一次反射効率は、前記回折光学要素の第１の縁から前記回折光学要素の第２の縁へと略線形に増加する、請求項１２に記載の接眼レンズ。
【請求項１４】
前記回折光学要素の一次反射効率は、前記回折光学要素の中心部分から前記中心部分の両側上の前記回折光学要素の縁に向かって増加する、請求項１１に記載の接眼レンズ。
【請求項１５】
画像を視認者の眼に投影させるための接眼レンズであって、前記接眼レンズは、
ある表面を有し、光をその中で伝搬させるように構成されている、導波管と、
前記導波管に光学的に結合された回折光学要素であって、前記回折光学要素は、
前記導波管の表面から突出し、ある周期を有する周期的アレイとして配列されている、複数の第１の隆起であって、各個別の第１の隆起は、前記周期のある方向における個別の第１の幅を有する、複数の第１の隆起と、
複数の第２の隆起であって、各個別の第２の隆起は、対応する第１の隆起から突出し、前記対応する第１の隆起の対応する第１の幅未満の個別の第２の幅を有する、複数の第２の隆起と
を含み、
前記個別の第２の隆起の個別の第２の幅と前記対応する第１の隆起の対応する第１の幅の比率は、前記周期の前記方向における前記対応する第１の隆起の位置の関数として変動し、前記回折光学要素は、前記導波管内で伝搬する前記光の第１の部分を前記眼に向かって一次反射として回折し、前記導波管内で伝搬する前記光の第２の部分を前記眼から離れるように一次透過として回折するように構成されている、回折光学要素と
を備える、接眼レンズ。
【請求項１６】
前記個別の第２の隆起の個別の第２の幅と前記対応する第１の隆起の対応する第１の幅の比率は、前記回折光学要素の一次反射効率が前記周期の前記方向における前記導波管の表面を横断した位置の関数として変動するように、前記周期の前記方向における前記対応する第１の隆起の位置の関数として変動する、請求項１５に記載の接眼レンズ。
【請求項１７】
前記回折光学要素の一次反射効率は、前記回折光学要素の第１の縁から前記回折光学要素の第２の縁へと増加する、請求項１６に記載の接眼レンズ。
【請求項１８】
前記回折光学要素の一次反射効率は、前記回折光学要素の第１の縁から前記回折光学要素の第２の縁へと略線形に増加する、請求項１７に記載の接眼レンズ。
【請求項１９】
前記回折光学要素の一次反射効率は、前記回折光学要素の中心部分から前記中心部分の両側上の前記回折光学要素の縁に向かって増加する、請求項１６に記載の接眼レンズ。
【請求項２０】
各第１の隆起は、第１の高さを有し、各第２の隆起は、前記第１の高さを上回る第２の高さを有する、請求項１５に記載の接眼レンズ。
【手続補正２】
【補正対象書類名】明細書
【補正対象項目名】０００６
【補正方法】変更
【補正の内容】
【０００６】
本発明のいくつかのさらなる実施形態によると、画像を視認者の眼に投影するための接眼レンズは、ある表面を有し、光をその中で伝搬させるように構成される、導波管と、導波管に光学的に結合される、回折光学要素とを含んでもよい。回折光学要素は、導波管の表面から突出し、ある周期を有する周期的アレイとして配列される、複数の第１の隆起を含んでもよい。各個別の第１の隆起は、周期の方向における個別の第１の幅を有する。回折光学要素はさらに、複数の第２の隆起を含んでもよい。各個別の第２の隆起は、対応する第１の隆起から突出し、対応する第１の隆起の対応する第１の幅未満の個別の第２の幅を有する。個別の第２の隆起の個別の第２の幅と対応する第１の隆起の対応する第１の幅の比率は、周期の方向における対応する第１の隆起の位置の関数として変動してもよい。回折光学要素は、導波管内で伝搬する光の第１の部分を眼に向かって一次反射として回折し、導波管内で伝搬する第２の部分を眼から離れるように一次透過として回折するように構成されてもよい。
本願明細書は、例えば、以下の項目も提供する。
（項目１）
画像を視認者の眼に投影させるための接眼レンズであって、前記接眼レンズは、
ある表面を有し、光をその中で伝搬させるように構成されている、導波管と、
前記導波管に光学的に結合された回折光学要素であって、前記回折光学要素は、
前記導波管の表面から突出し、ある周期を有する周期的アレイとして配列されている、複数の第１の隆起であって、前記複数の第１の隆起のそれぞれは、前記導波管の表面に対して垂直方向における第１の高さと、前記周期の方向における第１の幅とを有する、複数の第１の隆起と、
複数の第２の隆起であって、前記複数の第２の隆起のそれぞれは、個別の第１の隆起から突出し、前記第１の高さを上回る第２の高さと、前記第１の幅未満の第２の幅とを有する、複数の第２の隆起と
を含み、
前記回折光学要素は、前記導波管内で伝搬する前記光の第１の部分を前記眼に向かって一次反射として回折し、前記導波管内で伝搬する前記光の第２の部分を前記眼から離れるように一次透過として回折するように構成されている、回折光学要素と
を備える、接眼レンズ。
（項目２）
前記第１の幅は、前記周期の約０．４倍〜前記周期の約０．６倍に及ぶ、項目１に記載の接眼レンズ。
（項目３）
前記第２の幅は、前記周期の約０．２５倍未満である、項目１に記載の接眼レンズ。
（項目４）
前記第２の高さと前記第１の高さの比率は、約８：７〜約８：３に及ぶ、項目１に記載の接眼レンズ。
（項目５）
前記第１の幅および前記第２の幅は、前記回折光学要素が一次透過効率を上回る一次反射効率を有するように選択される、項目１に記載の接眼レンズ。
（項目６）
前記一次反射効率と前記一次透過効率の比率は、約２を上回る、項目５に記載の接眼レンズ。
（項目７）
前記回折光学要素は、前記導波管内で伝搬する前記光の第３の部分を入射方向と実質的に反対方向に二次反射として回折するように構成され、前記第１の幅および前記第２の幅は、前記回折光学要素が約１パーセント未満の二次反射効率を有するように選択される、項目１に記載の接眼レンズ。
（項目８）
画像を視認者の眼に投影させるための接眼レンズであって、前記接眼レンズは、
ある表面を有し、光をその中で伝搬させるように構成されている、導波管と、
前記導波管に光学的に結合された回折光学要素であって、前記回折光学要素は、
前記導波管の表面から突出し、ある周期を有する周期的アレイとして配列されている、複数の第１の隆起であって、各個別の第１の隆起は、前記周期の方向における前記個別の第１の隆起の位置の関数として変動する、前記周期の方向における個別の第１の幅を有する、複数の第１の隆起と、
複数の第２の隆起であって、各個別の第２の隆起は、対応する第１の隆起から突出し、前記対応する第１の隆起の対応する第１の幅未満の個別の第２の幅を有し、各個別の第２の幅は、前記周期の方向における前記対応する第１の隆起の位置の関数として変動する、複数の第２の隆起と
を含み、
前記回折光学要素は、前記導波管内で伝搬する前記光の第１の部分を前記眼に向かって一次反射として回折し、前記導波管内で伝搬する前記光の第２の部分を前記眼から離れるように一次透過として回折するように構成されている、回折光学要素と
を備える、接眼レンズ。
（項目９）
各第１の隆起は、第１の高さを有し、各第２の隆起は、前記第１の高さを上回る第２の高さを有する、項目８に記載の接眼レンズ。
（項目１０）
前記第１の高さは、約４５ｎｍ〜約６５ｎｍに及び、前記第２の高さは、約７０ｎｍ〜約８０ｎｍに及ぶ、項目９に記載の接眼レンズ。
（項目１１）
前記個別の第１の隆起の各個別の第１の幅および前記個別の第２の隆起の各個別の第２の幅は、前記回折光学要素の一次反射効率が前記周期の方向における前記導波管の表面を横断した位置の関数として変動するように変動される、項目８に記載の接眼レンズ。
（項目１２）
前記回折光学要素の一次反射効率は、前記回折光学要素の第１の縁から前記回折光学要素の第２の縁へと増加する、項目１１に記載の接眼レンズ。
（項目１３）
前記回折光学要素の一次反射効率は、前記回折光学要素の第１の縁から前記回折光学要素の第２の縁へと略線形に増加する、項目１２に記載の接眼レンズ。
（項目１４）
前記回折光学要素の一次反射効率は、前記回折光学要素の中心部分から前記中心部分の両側上の前記回折光学要素の縁に向かって増加する、項目１１に記載の接眼レンズ。
（項目１５）
画像を視認者の眼に投影させるための接眼レンズであって、前記接眼レンズは、
ある表面を有し、光をその中で伝搬させるように構成されている、導波管と、
前記導波管に光学的に結合された回折光学要素であって、前記回折光学要素は、
前記導波管の表面から突出し、ある周期を有する周期的アレイとして配列されている、複数の第１の隆起であって、各個別の第１の隆起は、前記周期の方向における個別の第１の幅を有する、複数の第１の隆起と、
複数の第２の隆起であって、各個別の第２の隆起は、対応する第１の隆起から突出し、前記対応する第１の隆起の対応する第１の幅未満の個別の第２の幅を有する、複数の第２の隆起と
を含み、
前記個別の第２の隆起の個別の第２の幅と前記対応する第１の隆起の対応する第１の幅の比率は、前記周期の方向における前記対応する第１の隆起の位置の関数として変動し、前記回折光学要素は、前記導波管内で伝搬する前記光の第１の部分を前記眼に向かって一次反射として回折し、前記導波管内で伝搬する前記光の第２の部分を前記眼から離れるように一次透過として回折するように構成されている、回折光学要素と
を備える、接眼レンズ。
（項目１６）
前記個別の第２の隆起の個別の第２の幅と前記対応する第１の隆起の対応する第１の幅の比率は、前記回折光学要素の一次反射効率が前記周期の方向における前記導波管の表面を横断した位置の関数として変動するように、前記周期の方向における前記対応する第１の隆起の位置の関数として変動する、項目１５に記載の接眼レンズ。
（項目１７）
前記回折光学要素の一次反射効率は、前記回折光学要素の第１の縁から前記回折光学要素の第２の縁へと増加する、項目１６に記載の接眼レンズ。
（項目１８）
前記回折光学要素の一次反射効率は、前記回折光学要素の第１の縁から前記回折光学要素の第２の縁へと略線形に増加する、項目１７に記載の接眼レンズ。
（項目１９）
前記回折光学要素の一次反射効率は、前記回折光学要素の中心部分から前記中心部分の両側上の前記回折光学要素の縁に向かって増加する、項目１６に記載の接眼レンズ。
（項目２０）
各第１の隆起は、第１の高さを有し、各第２の隆起は、前記第１の高さを上回る第２の高さを有する、項目１５に記載の接眼レンズ。